(57)【要約】      （修正有）【課題】水難時における瓦礫等の漂流物と接触した際に救命具の浮袋体に穴が開き、ガスが漏れても救命具としての機能を発揮できる救命具を提供する。【解決手段】ジャケット２と、当該ジャケット２に備えた複数の独立したエアーバッグと、当該エアーバッグにガスを供給する作動部と、から構成される。圧縮ガスがエアーバッグに導入され、膨張状態のエアーバッグの一部が破損しても、残りのエアーバッグの浮力により水面での浮遊状態を維持できる。当該ジャケット２には、胸部と腹部に水又は非常食を収容できる収容部４ａ及び４ｂが形成されるものが含まれるので、救出されるまでの期間が長期になっても、水又は非常食を摂取することにより延命を図ることができる。当該ジャケット２の素材には、発泡ウレタンで形成されるものが含まれる。これにより、断熱効果を発揮して着用者Ａの体熱をジャケット２の内側に留める。【選択図】図４
2012254685.tif 000002
【特許請求の範囲】
【請求項１】
救命具であって、
ジャケットと、該ジャケットに備えた複数の独立したエアーバッグと、該エアーバッグにガスを供給する作動部と、から構成されたことを特徴とする救命具。
【請求項２】
前記ジャケットには、水又は非常食を収容できる収容部が形成されることを特徴とする請求項１に記載の救命具。
【請求項３】
前記ジャケットは発泡ウレタンで形成されることを特徴とする請求項１乃至２のいずれかに記載の救命具。
【請求項４】
隣接するエアーバッグの間に該エアーバッグの位置を規定する連結部が配設され、該エアーバッグの膨張時に該エアーバッグ及び該連結部によって着用者の全身が外側から覆われる請求項１乃至３のいずれかに記載の救命具。
【発明の詳細な説明】
【技術分野】
【０００１】
本発明は、水難に際して人体の胴体に着用される救命具であって、より詳細には、複数の独立したエアーバッグを備える救命具に関する。
【背景技術】
【０００２】
従来、水難等で使用する救命具は、浮袋体にガスを供給して、人体を水面上に浮遊させるものが広く知られている。浮袋体にガスを供給して、膨張状態にさせる形態の救命具に関して、例えば下記の特許文献１に開示されている。
【０００３】
この救命具は、膨張式の浮袋体を有し、圧縮ガスを収容したボンベと、圧縮ガスを浮袋体に供給する作動装置とを備える。緊急時には、前記作動装置を操作して前記ボンベ内の圧縮ガスを浮袋体に供給し、当該浮袋体を膨張状態にさせて生じる浮力により、例えば津波や洪水等の水害においても即座に対応できる構成としている。
【先行技術文献】
【特許文献】
【０００４】
【特許文献１】特開２００７−９０９４３号公報
【発明の概要】
【発明が解決しようとする課題】
【０００５】
しかし、従来の救命具は、水害時における瓦礫、金属片、木材等の漂流物と接触した際に救命具の浮袋体に穴が開き、ガスが漏れて救命具としての機能が発揮されないという問題がある。
【０００６】
本発明に係る救命具は、上記の課題に鑑みてなされたものであり、本発明が解決しようとする課題は、たとえ救命具の浮袋体に穴が開き、ガスが漏れても救命具としての機能を発揮できる救命具を提供することにある。
【課題を解決するための手段】
【０００７】
本発明は救命具であって、ジャケットと、当該ジャケットに備えた複数の独立したエアーバッグと、当該エアーバッグにガスを供給する作動部と、から構成されることを特徴とする。当該ジャケットには、その胸部と腹部に水又は非常食を収容できる一対の収容部が形成されるものが含まれる。さらに、当該ジャケットの素材としては、発泡ウレタンで形成されるものが含まれる。隣接するエアーバッグの間には、エアーバッグの位置を規定する連結部が配設され、エアーバッグの膨張時にエアーバッグ及び連結部によって着用者の全身が外側から覆われる。
【発明の効果】
【０００８】
本発明に係る救命具は、ジャケットに複数の独立したエアーバッグを備えているため、それぞれのエアーバッグから浮力を得られる。したがって、当該エアーバッグの全てが破損しない限り救命具としての機能は損なわれない。例えば、水害時において本発明に係る救命具を着用して水面を浮遊している場合に、漂流物と接触してジャケットに備えられたエアーバッグの一部が破損しガスが漏れても、残りのエアーバッグから浮力を得られ、水面上の浮遊を可能とする。
【０００９】
当該ジャケットには、水又は非常食を収容できる収容部が形成されているので、例えば、ペットボトルや食料の入った小袋を収容できる。したがって、救出されるまでの期間が長期になっても、水又は非常食を摂取することにより延命を図ることができる。
【００１０】
さらに、当該ジャケットは発泡ウレタン素材で形成されているため、断熱効果を発揮する。すなわち、着用者が当該ジャケットを着用した場合、当該ジャケット内側における着用者の体熱を留めることができる。したがって、当該発泡ウレタン素材で形成されたジャケットは体温の保温性に優れているため、水中に長時間浸かっていても体温の低下をすることを防ぎ延命を図ることができる。
【００１１】
また、隣接するエアーバッグの間にエアーバッグの位置を規定する連結部が配設されることにより、エアーバッグが膨張して広がると、エアーバッグの位置が安定するとともに、エアーバッグ及び連結部によって着用者の全身が外側から覆われるため、着用者を瓦礫等からより効果的に守ることができる。
【図面の簡単な説明】
【００１２】
【図１】本発明に係る救命具の正面図である。
【図２】本発明に係る救命具の背面図である。
【図３】ジャケットに備えるエアーバッグと、ガスボンベ及び作動部との連結状態を表した展開図である。
【図４】本発明に係る救命具の使用状態を表した正面図である。
【発明を実施するための形態】
【００１３】
図１に示すように、本発明に係る救命具１は、胴体に着用するベストタイプのジャケット２を備え、当該ジャケット２の正面中央には、胴衣を開閉するためのスライド式ファスナー６が設けられている。ジャケット２の胸部と腹部には、飲料水や非常食等を収容できる一対の収容部４ａ及び４ｂが形成されている。また、収容部４ｂは、その上端にスライド式ファスナー４ｃを備える。図１に示すように、下記に説明する作動部５は、手動操作できる範囲で、ジャケット２の下端部から外側へ出しておくことが望ましい。
【００１４】
図２に示すように、本発明に係る救命具１は、ジャケット２の背面に独立した複数のエアーバッグ３を備えている。エアーバッグ３は、実際に使用されるまで、図２に示すように折り畳まれて所定位置に収納されている。隣接するエアーバッグ３は、連結部３ａによって連結されている。連結部３ａは、例えば膜状に形成され、折り畳まれた状態で収納されている。また、圧縮ガスを貯留しエアーバッグ３に当該圧縮ガスを供給するガスボンベ８は、ジャケット２の背面の下部に配置されている。ガスボンベ８は、その上部にガス供給部９を備えている。
【００１５】
図３に示すように、エアーバッグ３は、当該エアーバッグ３内からガスが流れ出るのを防止するための逆止弁１０を介して、気体導入管１１に連結されている。逆止弁１０は、エアーバッグ３の各々につき一つずつ気体導入管１１に接続されている。複数のエアーバッグ３は、それぞれが独立した状態で並列的に配置されている。また、当該ガスボンベ８のガス供給部９には、エアーバッグ３に圧縮ガスを供給するための作動部５が連結されている。
【００１６】
本発明に係るジャケット２の使用時には、当該作動部５を操作すると、ガス供給部９が開口し、圧縮ガスの供給が開始されて逆止弁１０をエアーバッグ３に向けた方向に圧縮ガスが通過し、圧縮ガスが独立したエアーバッグ３に導入される。これにより圧縮ガスが充填されたエアーバッグ３の内部における圧力は上昇し、エアーバッグ３は膨張状態になる。
【００１７】
その結果、図４に示すように、エアーバッグ３は、ジャケット２の背面に収納されている位置から外側に向けて突出する。これにより、膨張状態のエアーバッグ３は、ジャケット２の背面における収容位置に応じて、着用者Ａの首筋、両肩、両腕及び腰付近に位置し、図４に示すように風船形状となる。したがって、着用者Ａがジャケット２を着用して実際に落水しても、エアーバッグ３の浮力により水中に沈むことなく水面に浮遊可能となる。そして、着用者Ａは、水面での安定した浮遊状態を維持し、救出を待つことができる。また、隣接するエアーバッグ３の間には連結部３ａが配設されているため、エアーバッグ３が膨張して広がると、連結部３ａによってエアーバッグ３の位置が規定される。したがって、エアーバッグ３の位置が安定するとともに、エアーバッグ３及び連結部３ａによって着用者Ａの全身が外側から覆われ、着用者Ａを瓦礫等から守ることができる。
【００１８】
図４に示すように、ジャケット２を実際に使用する場合、着用者Ａは、当該スライド式ファスナー６をネック部分７までスライドさせて、ジャケット２を着用することが望ましい。ジャケット２の正面が開口した状態で落水した場合、ジャケット２の内側に水が浸入し、ジャケット２が脱げやすくなるため、着用者Ａは、水面上での安定した浮遊状態を十分に維持できない。また、ジャケット２の正面が開口した状態では、水が直接着用者Ａの身体に接触するため、本発明に係る救命具の断熱効果が発揮されず、ジャケット２内側における着用者Ａの体熱を留めることができず、体温の低下を防ぐことが困難となる。よって、スライド式ファスナー６をネック部分７までスライドさせておくことが望ましい。
【００１９】
図４に示すように、ジャケット２を着用した状態の収容部４ａは、着用者Ａの胸部に位置し、また、収容部４ｂは、着用者Ａの腹部に位置する。いずれも着用者Ａの手が届く範囲に位置するため、収容物である飲料水や非常食を難なく取ることができる。収容部４ａ及び４ｂに飲料水や非常食を収納しておけば、着用者Ａは、水難時でも当該飲料水や非常食を摂取することにより延命を図ることができる。収容部４ｂにはスライド式ファスナー４ｃが備えてあるので、収容物を失わないためにも当該スライド式ファスナー４ｃを閉めておくことが望ましい。
【００２０】
ジャケット２の使用中に、ジャケット２に独立して備えたエアーバッグ３の一部が瓦礫等の漂流物に接触し、エアーバッグ３が破損し穴が開いてガスが漏れた場合には、当該破損したエアーバッグ３からは浮力を得られない。しかし、ジャケット２に備えたエアーバッグ３は、それぞれが逆止弁１０を介して気体導入管１１に連結されており、独立した状態で並列的に配置されているため、エアーバッグ３の一部が破損しても、漂流物が接触していない残りのエアーバッグ３に影響はなく、その残りのエアーバッグ３のガスが漏れる事態は起きない。したがって、残りのエアーバッグ３からは浮力が得られるので、水面での浮遊状態を維持できる。このように、本発明では、救命具のエアーバッグに穴が開きガスが漏れても救命具としての機能を発揮できる。
【００２１】
着用者Ａの救出されるまでの期間が長引けば存命率が低下することから、ジャケット２は、体温保持に最適な素材で形成されるものが望ましいところ、ジャケット２は、発泡ウレタンで形成されているので断熱効果を発揮し、着用者Ａの体熱をジャケット２の内側に留めることができる。したがって、発泡ウレタン製のジャケット２は、体温保持には好適である。
【００２２】
上記実施の形態では、エアーバッグ３はガスボンベ８から圧縮ガスを供給するタイプを提示したが、これに限定するものではない。他の実施形態としては、救命具がガス発生装置（インフレータ）とガス発生剤を備える場合が挙げられる。これにより、当該ガス発生装置を点火して当該ガス発生剤の爆発によってガスを供給するタイプのエアーバッグで実施することも本発明の好適な実施形態の一つである。
【符号の説明】
【００２３】
１：救命具
２：ジャケット
３：エアーバッグ
３ａ：連結部
４ａ：収容部
４ｂ：収容部
４ｃ：スライド式ファスナー
５：作動部
６：スライド式ファスナー
７：ネック部分
８：ガスボンベ
９：ガス供給部
１０：逆止弁
１１：気体導入管
Ａ：着用者
【図１】
2012254685.tif 000003
【図２】
2012254685.tif 000004
【図３】
2012254685.tif 000005
【図４】
2012254685.tif 000006